(57)【要約】【課題】手を使わずに、ユーザの息（呼気）などの空気の流れによって情報を入力することを可能とし、ユーザが楽しみながら、携帯端末の操作やコンテンツの閲覧などを行うことを可能とする。【解決手段】携帯端末（風圧センサ付き携帯端末）１０の情報入力手段として、表示手段１２の外周に、空気の圧力を検出することが可能な風圧センサ１１を配置する。携帯端末のユーザが風圧センサに息（呼気）を吹き付けることによって、風圧センサから携帯端末内部のＣＰＵに風圧の強さを示す信号が供給され、ＣＰＵは、その信号に応じた情報処理を行う。例えば、風圧の強さと風圧が印加される継続時間を参照し、それらの関係から、表示する画像を選択して表示手段に表示する。【選択図】        図１
2004177992.tif 000002
【特許請求の範囲】
【請求項１】
情報入力手段として、所定値以上の風圧を検出することが可能な風圧センサを有する風圧センサ付き携帯端末。
【請求項２】
前記風圧センサが、前記風圧を検出した場合に信号を出力するよう構成されている請求項１に記載の風圧センサ付き携帯端末。
【請求項３】
前記風圧センサから供給される前記信号に応じて、情報処理を行うことが可能な処理手段を有する請求項２に記載の風圧センサ付き携帯端末。
【請求項４】
前記風圧センサが、前記風圧に応じた前記信号を出力するよう構成されている請求項２に記載の風圧センサ付き携帯端末。
【請求項５】
前記風圧センサから供給される前記信号に応じて、情報処理を行うことが可能な処理手段を有する請求項４に記載の風圧センサ付き携帯端末。
【請求項６】
前記風圧センサから供給される前記信号と、前記処理手段による前記情報処理との対応関係が設定され、前記対応関係に従って、前記処理手段が、前記風圧の強さに応じた前記情報処理を行うよう構成されている請求項５に記載の風圧センサ付き携帯端末。
【請求項７】
前記風圧センサから供給される前記信号と、前記処理手段による前記情報処理との対応関係が設定され、前記対応関係に従って、前記処理手段が、前記風圧の印加される時間に応じた前記情報処理を行うよう構成されている請求項５又は６に記載の風圧センサ付き携帯端末。
【請求項８】
前記風圧の強さ又は前記風圧の印加される時間に応じた前記情報処理によって、画像情報を出力することが可能な表示手段を有する請求項６又は７に記載の風圧センサ付き携帯端末。
【請求項９】
前記風圧の強さ又は前記風圧の印加される時間に応じた前記情報処理によって、音声情報を出力することが可能な音声出力手段を有する請求項６又は７に記載の風圧センサ付き携帯端末。
【請求項１０】
前記処理手段による前記情報処理を可能とするプログラムを格納することが可能な格納手段を有する請求項５から９のいずれか１つに記載の風圧センサ付き携帯端末。
【請求項１１】
前記風圧センサから供給される前記信号と、前記処理手段による前記情報処理との対応関係の設定を行うプログラムを格納することが可能な格納手段を有する請求項６から９のいずれか１つに記載の風圧センサ付き携帯端末。
【請求項１２】
前記画像情報又は前記音声情報を外部から取得可能とする無線通信手段を有する請求項８又は９に記載の風圧センサ付き携帯端末。
【請求項１３】
前記プログラムを外部から取得可能とする無線通信手段を有する請求項１０又は１１に記載の風圧センサ付き携帯端末。
【請求項１４】
前記表示手段の外周に沿って、前記風圧センサが配置された請求項８に記載の風圧センサ付き携帯端末。
【請求項１５】
情報入力手段として、風圧を検出することが可能な風圧センサを有し、前記風圧センサが、前記風圧を検出した場合に信号を出力するよう構成されている風圧センサ付き携帯端末により実行可能なプログラムであって、
前記風圧センサが出力する前記信号に応じて、情報処理を行う風圧センサ付き携帯端末により実行可能なプログラム。
【請求項１６】
前記風圧センサから供給される前記信号と、行うべき前記情報処理との対応関係に従って、前記風圧の強さに応じた前記情報処理を行うことを可能とする請求項１５に記載の風圧センサ付き携帯端末により実行可能なプログラム。
【請求項１７】
前記風圧センサから供給される前記信号と、行うべき前記情報処理との対応関係に従って、前記風圧の印加される時間に応じた前記情報処理を行うことを可能とする請求項１５又は１６に記載の風圧センサ付き携帯端末により実行可能なプログラム。
【請求項１８】
前記信号に応じて、表示手段からの画像情報の表示、又は、音声出力手段からの音声情報の出力を行うことを可能とする請求項１５から１７のいずれか１つに記載の風圧センサ付き携帯端末により実行可能なプログラム。
【発明の詳細な説明】
【０００１】
【発明の属する技術分野】
本発明は、携帯電話機やＰＤＡ（Ｐｅｒｓｏｎａｌ  Ｄｉｇｉｔａｌ  Ａｓｓｉｓｔａｎｃｅ：携帯情報端末）などの携帯端末及び携帯端末により実行可能なプログラムに関する。
【０００２】
【従来の技術】
従来、携帯電話機やＰＤＡなどの携帯端末は、ボタン、ダイヤル、タッチペン、マウス、キーボードなどの情報入力手段（本明細書では、操作手段とも呼ぶ）を有しており、この情報入力手段を用いて、携帯端末を用いるユーザが文書の入力や情報処理の指示などを行えるようになっている。例えば、情報入力手段としては、下記の特許文献１や特許文献２に記載されている入力用のボタンや、下記の特許文献３に記載されている入力用のペンなどが知られている。
【０００３】
【特許文献１】
特開２００２−１０９９８７号公報（図５）
【特許文献２】
特開２００２−１５２３６８号公報（図１）
【特許文献３】
特開２００１−５１７８２号公報（図２）
【０００４】
【発明が解決しようとする課題】
しかしながら、こうした情報入力手段のほとんどが、携帯端末本体や操作手段を手で操作したり直接触れたりするものであり、携帯端末の操作時には、身体の動き、特に手の動きが限定されてしまうという問題がある。また、従来の情報入力手段は、操作性を追求した結果、主に接触による入力が基本となっており、非常に味気ないユーザインターフェイスになってしまっているという問題がある。また、従来の情報入力手段は、主にＯＮ／ＯＦＦの２値入力しかできないという問題がある。
【０００５】
上記問題に鑑み、本発明では、手を使わずにユーザの息（呼気）などの空気の流れによって情報を入力することを可能とし、ユーザが楽しみながら、携帯端末の操作やコンテンツの閲覧などを行うことを可能とする風圧センサ付き携帯端末及び風圧センサ付き携帯端末により実行可能なプログラムを提供することを目的とする。
【０００６】
【課題を解決するための手段】
上記目的を達成するため、本発明の風圧センサ付き携帯端末は、情報入力手段として、所定値以上の風圧を検出することが可能な風圧センサを有している。
この構成により、当該風圧センサ付き携帯端末を用いるユーザは、呼気や風、その他の空気の流れなどによって、情報の入力を行うことが可能となる。これによって、手を使わずに情報を入力することが可能となり、また、携帯端末で実行される各コンテンツの楽しみ方、携帯端末の操作の楽しみ方が広がる。
【０００７】
さらに、本発明は、上記発明において、風圧センサが、風圧を検出した場合に信号を出力するよう構成されている。
この構成により、風圧センサを利用して入力された情報が、処理可能な信号として、当該風圧センサ付き携帯端末内部に供給されるようにすることが可能となる。
【０００８】
さらに、本発明は、上記発明において、風圧センサから供給される信号に応じて、情報処理を行うことが可能な処理手段を有している。
この構成により、風圧センサ付き携帯端末は、風圧センサを利用して入力された情報に応じた処理を行うことが可能となる。
【０００９】
さらに、本発明は、上記発明において、風圧センサが、風圧に応じた信号を出力するよう構成されている。
この構成により、風圧センサ付き携帯端末を用いるユーザが、風圧センサに対して風圧を与える態様を変化させることにより、様々な情報を入力することが可能となる。
【００１０】
さらに、本発明は、上記発明において、風圧センサから供給される信号に応じて、情報処理を行うことが可能な処理手段を有している。
この構成により、風圧センサ付き携帯端末は、様々な風圧の印加の態様に応じた処理を行うことが可能となる。
【００１１】
さらに、本発明は、上記発明において、風圧センサから供給される信号と、処理手段による情報処理との対応関係が設定され、この対応関係に従って、処理手段が、風圧の強さに応じた情報処理を行うよう構成されている。
この構成により、例えば、風圧センサに印加される風圧の強弱を複数段階に分類して検出し、各段階に応じて異なる信号が当該風圧センサ付き携帯端末内部に供給されるようにすることが可能となる。
【００１２】
さらに、本発明は、上記発明において、風圧センサから供給される信号と、処理手段による情報処理との対応関係が設定され、この対応関係に従って、処理手段が、風圧の印加される時間に応じた情報処理を行うよう構成されている。
この構成により、例えば、風圧センサに風圧が印加される時間を検出し、検出された時間に応じて異なる信号が当該風圧センサ付き携帯端末内部に供給されるようにすることが可能となる。
【００１３】
さらに、本発明は、上記発明において、風圧の強さ又は風圧の印加される時間に応じた情報処理によって、画像情報を出力することが可能な表示手段を有している。
この構成により、風圧センサから供給された信号に応じて、様々な画像を表示することが可能となる。
【００１４】
さらに、本発明は、上記発明において、風圧の強さ又は風圧の印加される時間に応じた情報処理によって、音声情報を出力することが可能な音声出力手段を有している。
この構成により、風圧センサから供給された信号に応じて、様々な音声を出力することが可能となる。
【００１５】
さらに、本発明は、上記発明において、処理手段による情報処理を可能とするプログラムを格納することが可能な格納手段を有している。
この構成により、必要に応じて、格納手段からプログラムを読み出し、風圧センサを用いた風圧入力モードに移行することが可能となる。
【００１６】
さらに、本発明は、上記発明において、風圧センサから供給される信号と、処理手段による情報処理との対応関係の設定を行うプログラムを格納することが可能な格納手段を有している。
この構成により、必要に応じて、格納手段からプログラムを読み出し、ユーザの入力に応じた情報処理を参照して、その処理を行うことが可能となる。
【００１７】
さらに、本発明は、上記発明において、画像情報又は音声情報を外部から取得可能とする無線通信手段を有している。
この構成により、インターネットなどの外部ネットワークに接続し、様々な画像情報又は音声情報をダウンロードすることが可能となる。
【００１８】
さらに、本発明は、上記発明において、プログラムを外部から取得可能とする無線通信手段を有している。
この構成により、インターネットなどの外部ネットワークに接続し、様々なプログラムをダウンロードすることが可能となる。
【００１９】
さらに、本発明は、上記発明において、表示手段の外周に沿って、風圧センサが配置されている。
この構成により、風圧印加以外の操作の邪魔にならない場所に風圧センサを配置できるとともに、風圧センサ付き携帯端末を用いるユーザが、表示手段を見ながら呼気などによる風圧の印加を容易に行えるようにすることが可能となる。
【００２０】
また、上記目的を達成するため、本発明の風圧センサ付き携帯端末により実行可能なプログラムは、情報入力手段として、風圧を検出することが可能な風圧センサを有し、風圧センサが、風圧を検出した場合に信号を出力するよう構成されている風圧センサ付き携帯端末により実行可能なプログラムであって、
風圧センサが出力する信号に応じて、情報処理を行うことが可能なよう構成されている。
この構成により、風圧センサ付き携帯端末は、様々な風圧の印加の態様に応じた処理を行うことが可能となる。
【００２１】
さらに、本発明は、上記発明において、風圧センサから供給される信号と、行うべき情報処理との対応関係に従って、風圧の強さに応じた情報処理を行うことが可能なよう構成されている。
この構成により、例えば、風圧センサに印加される風圧の強弱を複数段階に分類して検出し、各段階に応じて異なる信号が当該風圧センサ付き携帯端末内部に供給されるようにすることが可能となる。
【００２２】
さらに、本発明は、上記発明において、風圧センサから供給される信号と、行うべき情報処理との対応関係に従って、風圧の印加される時間に応じた情報処理を行うことが可能なよう構成されている。
この構成により、例えば、風圧センサに風圧が印加される時間を検出し、検出された時間に応じて異なる信号が当該風圧センサ付き携帯端末内部に供給されるようにすることが可能となる。
【００２３】
さらに、本発明は、上記発明において、信号に応じて、表示手段からの画像情報の表示、又は、音声出力手段からの音声情報の出力を行うことが可能なよう構成されている。
この構成により、風圧センサから供給された信号に応じて、様々な画像を表示したり、様々な音声を出力したりすることが可能となる。
【００２４】
【発明の実施の形態】
以下、図面を参照しながら、本発明の風圧センサ付き携帯端末及び風圧センサ付き携帯端末により実行可能なプログラムの実施の形態について説明する。図１は、本発明に係る実施の形態を示す風圧センサ付き携帯端末の外観を示す模式図である。図１に示す携帯端末１０（風圧センサ付き携帯端末１０）は、風圧センサ１１（図１の網目で示す部分）、表示手段１２、操作手段（プッシュボタン）１３、送話口１４、受話口１５、アンテナ１６を有している。
【００２５】
風圧センサ１１は、空気の流れによる圧力（風圧）を検出するものであり、例えば、当該携帯端末１０を用いるユーザの呼気による風圧や、ユーザが当該携帯端末１０を動かした場合に生じる風圧を検出することが可能である。なお、風圧センサ１１として、風圧によるフィルムの変形を検出するものや、空気の流動を検知して風圧を検出するものなど、様々な風圧検出方法を用いるものが存在するが、本発明で用いられる風圧センサ１１では、いずれの風圧検出方法を用いることも可能である。
【００２６】
また、図１では、風圧センサ１１が表示手段１２の外周に沿って配置されている様子が図示されているが、風圧センサ１１を任意の場所に配置することが可能である。なお、図１に示すように、風圧センサ１１を表示手段１２の外周に沿って配置した場合には、操作手段１３の操作性や当該携帯端末１０の携帯性を損なわず、さらに、表示手段１２に表示されたコンテンツを閲覧しながら、風圧センサ１１への風圧の印加を容易に行えるようになる。
【００２７】
また、図１には、本発明の風圧センサ付き携帯端末１０として、携帯電話機を用いた場合が図示されており、携帯端末１０は、従来の携帯電話機と同様、ＬＣＤ（Ｌｉｑｕｉｄ  Ｃｒｙｓｔａｌ  Ｄｉｓｐｌａｙ：液晶ディスプレイ）などの表示手段１２、情報の入力を可能とする操作手段１３、音声の入力を可能とするマイクロホンが内蔵されている送話口１４、音声の出力を可能とするスピーカが内蔵されている受話口１５、通信を可能とするアンテナ１６を有している。なお、本発明の風圧センサ付き携帯端末１０として、ＰＤＡなどを用いることも可能である。
【００２８】
また、図２は、本発明に係る実施の形態を示す風圧センサ付き携帯端末の内部構成を示すブロック図である。図２に示す携帯端末１０は、風圧センサ１１、表示手段１２、操作手段１３、アンテナ１６、ＣＰＵ（Ｃｅｎｔｒａｌ  Ｐｒｏｃｅｓｓｉｎｇ  Ｕｎｉｔ：中央処理手段）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、送受信手段２４、音声入力手段２５、音声出力手段２６、Ａ／Ｄ変換手段（アナログ／デジタル変換手段）２７を有している。このうち、風圧センサ１１、表示手段１２、操作手段１３、アンテナ１６は、図１に示すものと同一である。
【００２９】
ＣＰＵ２１は、携帯端末１０内の主な制御、及び、各手段の動作制御を行う手段である。また、ＲＯＭ２２及びＲＡＭ２３は、情報格納手段であり、携帯電話機１０で動作するプログラム、表示手段１２を用いて表示する画像情報（静止画情報及び動画情報）、音声出力手段２６を用いて出力する音声情報などを格納する手段である。また、送受信手段２４は、アンテナ１６を介して通信基地局や外部の装置との通信を行う手段であり、通話及びデータの送受信を可能とするものである。また、音声入力手段２５は、音声出力のためのマイクロホンであり、音声出力手段２６は、音声出力のためのスピーカである。また、Ａ／Ｄ変換手段２７は、風圧センサ１１が風圧を検出して出力したアナログ信号をデジタル信号に変換する手段である。
【００３０】
次に、図２に示す風圧センサ付き携帯端末１０の内部構成を参照しながら、本発明における動作について説明する。通常、携帯端末１０のユーザは、プッシュボタンなどの操作手段１３から情報を入力したり、音声認識などの機能を用いて、音声入力手段２５から操作の指示を声で入力したりすることが可能であるが、本発明は、ユーザが風圧センサ１１に息（呼気）を吹きかけたり、携帯端末１０本体を振って風圧センサ１１に風を当てたりすることによって、風圧センサ１１を用いた情報入力を可能とするものである。
【００３１】
例えば、ＣＰＵ２１は、表示手段１２を用いて、所定のコンテンツに係る画像情報を表示した場合、そのコンテンツの表示と連動して、風圧センサを利用することが可能となる風圧入力モードに移行する。この風圧入力モードでは、ＣＰＵ２１は、Ａ／Ｄ変換手段２７を介して風圧センサ１１から供給される信号の監視を行う。
【００３２】
＜第１の実施の形態＞
以下、本発明に係る第１の実施の形態について説明する。この第１の実施の形態では、風圧センサ１１によりＯＮ／ＯＦＦ（入力の有無）が検出される場合について説明する。図３は、本発明の第１の実施の形態における風圧の印加により表示画面上のコンテンツが変化する様子を示す模式図である。まず、ＣＰＵ２１は、ＲＯＭ２２又はＲＡＭ２３などのメモリから所定の画像情報（［Ａ］：ケーキの上に火の付いたろうそくが立っている画像）を読み出して表示手段１２に表示し、風圧センサ１１による入力を可能とする風圧入力モードに移行する。
【００３３】
例えば、携帯端末１０を用いているユーザは、［Ａ］の表示画面を見ながら、風圧センサ１１に息を吹きかけて風圧を印加する。風圧センサ１１は、この風圧をアナログ信号として出力し、このアナログ信号は、Ａ／Ｄ変換手段２７によってデジタル信号に変換されてＣＰＵ２１に供給される。ＣＰＵ２１は、風圧の強さが所定の閾値を超えるか否かを常に監視し、風圧の強さが所定の閾値を超えた場合には、メモリから別の画像情報（［Ｂ］：ろうそくの火が消えて煙が出ている画像）を読み出して表示手段１２に表示する。また、さらに続けて別の画像情報（［Ｃ］：ろうそくの上の火が完全に消えている画像）を表示手段１２に表示することも可能であり、［Ａ］〜［Ｃ］の一連の画像によって、ユーザは、呼気によって表示画面上の火を消すことが可能となる。
【００３４】
以上、説明したように、本発明の第１の実施の形態によれば、風圧センサ１１を用いて、風圧が印加されたか否かを判断し、所定の閾値以下の風圧が印加された場合をＯＮ、それ以外をＯＦＦとするＯＮ／ＯＦＦの入力を検出することが可能となる。なお、表示画面の変化以外に、例えば、風圧の印加によって音声を変化させるようにすることも可能である。
【００３５】
＜第２の実施の形態＞
次に、本発明に係る第２の実施の形態について説明する。この第２の実施の形態では、風圧センサ１１によって検出される風圧の強さ及び印加される時間を参照して、様々な画像表示のパターンを行う場合について説明する。図４は、本発明の第２の実施の形態における風圧の強さ及び風圧が印加される時間と、画像表示のパターンとの関係を示す相関図である。
【００３６】
図４に示す相関図の縦軸は風圧の強さ、横軸は風圧が印加される時間（継続時間）であり、この相関図によって、風圧の強さ及び風圧の継続時間に従って画像表示のパターンを７種類のパターン（パターン１〜パターン７）に分類している。以下、パターン１〜パターン７のそれぞれについて、図５を参照しながら説明する。なお、図５は、本発明の第２の実施の形態における風圧の印加により表示画面上のコンテンツが変化する様子を示す模式図であり、［ａ］はケーキの上に火の付いたろうそくが立っている画像、［ｂ］はろうそくの火が揺らいでいる画像、［ｃ］はろうそくの火が小さくなっている画像、［ｄ］：ろうそくの火が消えて煙が出ている画像、［ｅ］はろうそくの上の火が完全に消えている画像である。
【００３７】
パターン１（図４に示す『１』の領域）は、大まかに『所定の強さＰ１以上の風圧が印加された場合の画像表示パターン』と説明することができる。このパターン１では、表示画面に［ａ］の画像が表示されている状態で、強さＰ１以上の風圧が印加された場合、［ｄ］の画像を表示し、その後、［ｅ］の画像を表示することによって、ろうそくの火が非常に強い風に吹かれて一瞬で消える様子を表示することが可能となる。
【００３８】
また、パターン２（図４に示す『２』の領域）は、大まかに『所定の強さＰ２以上で所定の強さＰ１に満たない風圧が短時間印加された場合の画像表示パターン』と説明することができる。このパターン２では、表示画面に［ａ］の画像が表示されている状態で、強さＰ２以上で強さＰ１に満たない風圧が短時間印加された場合、［ｃ］の画像を表示し、その後、元の［ａ］の画像に戻ることによって、ろうそくの火が比較的強い風に短時間吹き付けられて小さくなり、その後、再び元の状態に戻る様子を表示することが可能となる。
【００３９】
また、パターン３（図４に示す『３』の領域）は、大まかに『所定の強さＰ２以上で所定の強さＰ１に満たない風圧が長時間印加された場合の画像表示パターン』と説明することができる。このパターン３では、表示画面に［ａ］の画像が表示されている状態で、強さＰ２以上で強さＰ１に満たない風圧が長時間印加された場合、［ｃ］の画像を表示し、その後、［ｄ］及び［ｅ］の画像を表示することによって、ろうそくの火が比較的強い風に長時間吹き付けられて消える様子を表示することが可能となる。
【００４０】
また、パターン４（図４に示す『４』の領域）は、大まかに『所定の強さＰ２に満たない風圧が短時間印加された場合の画像表示パターン』と説明することができる。このパターン４は、表示画面に［ａ］の画像が表示されている状態で、強さＰ２に満たない風圧が短時間印加された場合、［ｂ］の画像を表示し、その後、元の［ａ］の画像に戻ることによって、ろうそくの火が弱い風に短時間吹き付けられて揺らぐ様子を表示することが可能となる。
【００４１】
また、パターン５（図４に示す『５』の領域）は、大まかに『所定の強さＰ２に満たない風圧がやや長時間印加された場合の画像表示パターン』と説明することができる。このパターン５では、表示画面に［ａ］の画像が表示されている状態で、強さＰ２に満たない風圧がやや長時間印加された場合、［ｂ］及び［ｃ］の画像を表示し、その後、元の［ｂ］から［ａ］の画像に戻ることによって、ろうそくの火が弱い風にやや長時間吹き付けられて揺らいで小さくなり、その後、再び元の状態に戻る様子を表示することが可能となる。
【００４２】
また、パターン６（図４に示す『６』の領域）は、大まかに『所定の強さＰ２に満たない風圧が長時間印加された場合の画像表示パターン』と説明することができる。このパターン６では、表示画面に［ａ］の画像が表示されている状態で、強さＰ２に満たない風圧が長時間印加された場合、［ｂ］、［ｃ］、［ｄ］、［ｅ］の順に画像を表示することによって、ろうそくの火が弱い風に長時間吹き付けられて揺らいで小さくなって消える様子を表示することが可能となる。
【００４３】
また、パターン７（図４に示す『７』の領域）は、大まかに『風圧が非常に弱い場合や継続時間が非常に短い場合の画像表示パターン』と説明することができ、この場合、表示画面に［ａ］の画像を表示し続け、ろうそくの火が変化しない様子を表示することが可能となる。なお、パターン１からパターン７における画像表示では、印加される風圧に合わせて、その風圧に適した画像をリアルタイムに表示することが好ましい。
【００４４】
また、上記のように画像変化のパターンを定めておくのではなく、以下のように、図４に示す『１』〜『７』の各領域において表示する画像を定めておくことによっても、図５に示す表示画面上のコンテンツの変化を実現することが可能である。なお、この場合も、最初は表示画面上に［ａ］の画像が表示されており、圧力の印加がなくなったとき、［ｂ］や［ｃ］の画像を表示している場合には、［ａ］の画像に戻るようにする。
【００４５】
『１』の領域：［ｄ］→［ｅ］の画像を表示
『２』の領域：［ｃ］の画像を表示
『３』の領域：［ｄ］→［ｅ］の画像を表示
『４』の領域：［ｂ］の画像を表示
『５』の領域：［ｃ］の画像を表示
『６』の領域：［ｄ］→［ｅ］の画像を表示
『７』の領域：［ａ］の画像の表示を継続
【００４６】
以上、説明したように、本発明の第２の実施の形態によれば、風圧センサ１１によって検出された風圧の強さ及び風圧の印加の継続時間を参照し、それらの相関に応じた処理を行うことが可能となる。なお、表示画面の変化以外に、例えば、風圧の印加によって音声を変化させるようにすることも可能である。
【００４７】
なお、携帯端末１０のＣＰＵ２１によって実行可能なプログラムをＲＯＭ２２又はＲＡＭ２３などのメモリに格納しておき、このプログラムをＣＰＵ２１で実行することにより、本発明を実現することも可能である。また、本発明に係るプログラムや風圧センサ１１による風圧の印加に応じて変化するコンテンツ（画像情報又は音声情報）などを送受信手段（無線通信手段）２４によって外部から取得することも可能である。また、本発明に係る風圧センサを携帯端末１０における基本操作（メールの送信、受話など、携帯端末１０で行われる通常の操作）の際にも利用可能とし、ＣＰＵ２１が、風圧センサ１１からの入力に応じて様々な処理を行えるようにすることも可能である。
【００４８】
【発明の効果】
以上、説明したように、本発明によれば、携帯端末の情報入力手段として、空気の流れにより発生する風圧の強さを検出することが可能な風圧センサを用いることにより、当該携帯端末を用いるユーザは、手を使わずに、呼気や風、その他の空気の流れなどによって情報の入力を行うことが可能となり、携帯端末で実行される各コンテンツの楽しみ方、携帯端末の操作の楽しみ方が広がる。
【図面の簡単な説明】
【図１】本発明の風圧センサ付き携帯端末の外観を示す模式図
【図２】本発明の風圧センサ付き携帯端末の内部構成を示すブロック図
【図３】本発明の第１の実施の形態における風圧の印加により表示画面上のコンテンツが変化する様子を示す模式図
【図４】本発明の第２の実施の形態における風圧の強さ及び風圧が印加される時間と、画像表示のパターンとの関係を示す相関図
【図５】本発明の第２の実施の形態における風圧の印加により表示画面上のコンテンツが変化する様子を示す模式図
【符号の説明】
１０  携帯端末（風圧センサ付き携帯端末）
１１  風圧センサ
１２  表示手段
１３  操作手段（プッシュボタン）
１４  送話口
１５  受話口
１６  アンテナ
２１  ＣＰＵ
２２  ＲＯＭ
２３  ＲＡＭ
２４  送受信手段（無線通信手段）
２５  音声入力手段
２６  音声出力手段
２７  Ａ／Ｄ変換手段
【図１】
2004177992.tif 000003
【図２】
2004177992.tif 000004
【図３】
2004177992.tif 000005
【図４】
2004177992.tif 000006
【図５】
2004177992.tif 000007